Podtech/llm-jp-corpus-v4-ja_patent huggingface dataset:
(57)【要約】      （修正有）【課題】従来、変圧器は分割型磁心コアを使用して、磁気コイルの内径部に分割磁心コアを挿入した後、分割磁心鉄片を打ち込む工程を設けて、磁心コア全体の閉鎖を果たさねばならなかった。このため、変圧器の製造コストダウンを図れない点があった。【解決手段】非分割（単・複）窓あり磁心コア１をあらかじめ作成しておいて、のちに磁気コイル２を非分割窓あり磁気コア１の内径部通過ではなく、むしろ外径部に巻き付け、コイル自体は主に帯状で完全積層もしくは部分積層形状等に整形する。これにより、分割磁心コアをコア鉄片で閉鎖するという工程が省力化でき、コストダウンが達成でき、ひいてはオンリーワンの技術の確立にもなるものである。【選択図】図１
2020088363.tif 000002
【特許請求の範囲】
【請求項１】
非分割単複窓（窓の数は問わず）磁心コアを使用して、その外径部に磁気コイルを内径部を通過させず、積層もしくは部分積層するように配置した電磁（相互）誘導システムで、必ず（一体成型の）非分割磁心コアを使用した電磁（相互）誘導システム及びこのシステムを応用して製作された変圧器（電機機器等）。（図１参照）
【発明の詳細な説明】
【技術分野】
【０００１】  本発明は、主にトランス（変圧器）に関するものである。
【背景技術】
【０００２】  従来、トランス（変圧器）分野において、磁心コアと磁気コイルの位置関係は、そのほとんどが、磁心コア内径部に３６０度磁気コイルを巻きつけるために、磁心コアが必然的に分割型にならざるを得なかった。
よって、磁気コイルを装填した後に分割コア鉄片でコア全体を閉鎖しなければならない打ち込み工程が必要であった。
当方、生業としての変圧器製造業に日々従事していて切実に感じていたのは、なんとかこの工程を省力化しコストダウンをしたいという願望があった。図２は、理想的な変圧器（図１参照）をイメージしたときに解決しなければならない点を図示したもので、分割磁心コアと磁気コイルを図２のように配置する限り、分割磁心コアはコアを閉鎖するために最終的にコア鉄片を打ち込むという工程が必要で、その分コストが嵩むという欠点は避けられなかった。【０００３】  この改善策として、磁心コアと磁気コイルの配置関係を見直す必要がある。
図１は、磁心コアと磁気コイルの改善実装形態を示すための説明図である。
【発明が解決しようとする課題】
【０００４】  解決しようとする課題は、分割磁心コアを使用する限り、磁心コアをコア鉄片で閉鎖する作業工程が発生してコストアップするという問題点。
【課題を解決するための手段】
【０００５】  本発明は、磁気コイルが非分割磁心コア内径部を通過して巻きつけない形態で、むしろコア外形部を通過して巻き付ける形態。非分割（単複）窓あり磁心コアを先行して一体成型で製造しておいて、一例として図１のように（単複）非分割磁心コアの外径部にコイルを巻き付け、（図１は口型・Ｏ型の代表型）磁心コアに完全積層か部分積層（クロス）巻き形状等に整形して磁気コイルを非分割磁心コアに巻き積む方式をとる。（一体成型した）非分割の磁心コアを使用するため、工程省略が可能となり、コストダウンが可能となる。
【発明の効果】
【０００６】  本発明の（Ｏ型・口型）非分割磁心コアと磁気コイルの配置関係（図１の場合）は、非分割磁心コアの外径部を通過させて磁気コイルを巻く手法をとるため、従来のように分割磁心コアを閉鎖するためのコア鉄片打ち込み工程が省略でき、コストダウンとオンリーワン技術（特に図１の下図Ｏ型）の確立が図れる。
【図面の簡単な説明】
【０００７】
【図１】当該変圧器の代表的Ｏ型と口型コアの場合の説明図。
【図２】従来方法の変圧器を示した説明図。
【発明を実施するための形態】
【０００８】  非分割（単複）窓ありコアを使用するため、分割コア使用時のコア閉鎖作業というコア鉄片を打ち込む工程が省け、製造コスト低減のため、磁気コイルを非分割磁心コア内径部に巻き付けないで、むしろ非分割磁心コア外径部に巻き付け、完全積層もしくは部分積層（クロス）巻き形状に整形してコイルを挟み込む形態手法で実現する形態である。
【０００９】図１はトランスに使用した実際応用の例を示す。
【産業上の利用可能性】
【００１０】  変圧器分野においては、非分割（単複）窓あり磁心コアを先行して作成して、その後コア外径部にコイルを完全積層か部分積層（クロスさせるように）巻きするように磁気コイルを巻き付けるだけでよいので、省コスト型変圧器のオンリーワンの地位を確立できるものである。
【符号の説明】
【００１１】１  非分割単窓あり磁心コア
２  磁気コイル
３  分割磁心コア
４  磁気コイル
【図１】
2020088363.tif 000003
【図２】
2020088363.tif 000004
(57)【要約】【課題】電解質膜に混入したセルロース系の異物を除去できる燃料電池用電解質膜を提供すること。【解決手段】燃料電池用電解質膜１は、N-メチルモルホリン N-オキシドを含む第１電解質層１１と、N-メチルモルホリン N-オキシドを含む第２電解質層１３と、第１電解質層１１と第２電解質層１３の間に設けられ、補強材及びN-メチルモルホリン N-オキシドを含む補強層１２と、を備えることにより、電解質膜に混入したセルロース系の異物を除去できる。【選択図】図１
2020113370.tif 000002
【特許請求の範囲】
【請求項１】
N-メチルモルホリン N-オキシドを含む第１電解質層と、
N-メチルモルホリン N-オキシドを含む第２電解質層と
前記第１電解質層と前記第２電解質層の間に設けられ、補強材及びN-メチルモルホリン N-オキシドを含む補強層と、を備える燃料電池用電解質膜。
【発明の詳細な説明】
【技術分野】
【０００１】
本発明は燃料電池用電解質膜に関する。
【背景技術】
【０００２】
燃料電池には、例えば固体高分子の電解質膜が用いられている。この種の電解質膜は、例えば多孔質樹脂を含む補強層と電解質層を積層して製造されている。
【０００３】
このような燃料電池用電解質膜の製造においては、異物の混入を防ぐことが求められている。
【０００４】
特許文献１には、吸着ローラから電解質膜への異物の転着を防止する製造方法について記載されている。特許文献１では、燃料電池用膜・電極接合体を構成する製造装置において、触媒層の突出部を除去して正常部分と同じ厚さにしている。
【先行技術文献】
【特許文献】
【０００５】
【特許文献１】特開２０１７−６２９８３号公報
【発明の概要】
【発明が解決しようとする課題】
【０００６】
特許文献１に記載されているように、ローラに転着した異物の除去は、ローラの表面から突出した異物のみが除去できる。一方で、特許文献１に記載されている方法では、電解質に埋め込まれた異物は取り除くことが困難である。
【０００７】
また、特許文献１に記載されている方法は触媒層に対する異物の除去であり、表面が粘着性を有する電解質膜では、異物の除去が困難である。
【０００８】
また仮に、電解質膜から異物を直接取り除く場合、異物を除去する工程と除去後の電解質膜の表面を洗浄する工程が必要となり、追加の設備コストやパスライン延長による設備スペースが必要となる。
【０００９】
特に、ローラからの転着以外にも作業員の衣服等から飛散するセルロース系の異物が電解質膜に混入することが考えられる。この異物の混入はローラの異物を除去するだけでは対策できないという問題があった。
【課題を解決するための手段】
【００１０】
一実施形態の燃料電池用電解質膜は、電解質層及び補強層にN-メチルモルホリン N-オキシドを含むことにより、電解質膜に混入したセルロース系の異物を溶解させることができる。
【発明の効果】
【００１１】
本発明によれば、電解質膜に混入したセルロース系の異物を除去できる燃料電池用電解質膜を提供することができる。
【図面の簡単な説明】
【００１２】
【図１】本実施の形態にかかる燃料電池用電解質膜の構成の一例を示す断面図である。
【発明を実施するための形態】
【００１３】
（本実施の形態）
以下、図面を参照して本発明の実施の形態について説明する。図１は、本実施の形態にかかる燃料電池用電解質膜の構成の一例を示す断面図である。図１において、燃料電池用電解質膜１は、第１電解質層１１と、補強層１２と、第２電解質層１３とを備える。
【００１４】
第１電解質層１１は、電解質とN-メチルモルホリン N-オキシドを含む層である。N-メチルモルホリン N-オキシドは、以下の化学式で示される化合物である。
【化１】
2020113370.tif 000003
【００１５】
例えば、第１電解質層１１は、N-メチルモルホリン N-オキシドを含有させた電解質樹脂で構成される。具体的には、第１電解質層１１の電解質樹脂は、プロトン伝導性を示すフッ素系のイオン交換樹脂膜が好適である。
【００１６】
補強層１２は、電解質と補強材を含む層である。補強層１２は、第１電解質層１１と第２電解質層１３の間に設けられる。また、補強層１２に含まれる補強材は、例えば細孔を有する膜状の多孔質部材を包含している。多孔質部材は、細孔が三次元的に絡み合った三次元網目構造を有するフッ素系樹脂などの樹脂材料によって構成されてもよい。多孔質部材の細孔にはN-メチルモルホリン N-オキシドを添加した電解質樹脂が充填されている。例えば、多孔質部材は、ポリテトラフルオロエチレンが好適である。
【００１７】
第２電解質層１３は、電解質とN-メチルモルホリン N-オキシドを含む層である。例えば、第２電解質層１３は、N-メチルモルホリン N-オキシドを含有させた電解質樹脂で構成される。具体的には、第２電解質層１３の電解質樹脂は、第１電解質層１１と同様にプロトン伝導性を示すフッ素系のイオン交換樹脂膜が好適である。
【００１８】
燃料電池用電解質膜１は、第１電解質層１１、補強層１２及び第２電解質層１３にN-メチルモルホリン N-オキシドが含まれている。したがって、燃料電池用電解質膜１にセルロース系の異物が混入した場合、セルロース系の異物はN-メチルモルホリン N-オキシドにより溶融される。この結果、セルロース系の異物は固体としての形状を保っておらず、物理的な形状をもった異物としては存在しなくなる。
【００１９】
このように、本実施の形態の燃料電池用電解質膜によれば、電解質層及び補強層にN-メチルモルホリン N-オキシドを含むことにより、電解質膜に混入したセルロース系の異物を溶解させることができる。固体であるセルロース系の異物は、溶解により液体となる。
【００２０】
また、本実施の形態の燃料電池用電解質膜によれば、N-メチルモルホリン N-オキシドは、アニオンコンタミによる発電阻害を引き起こす元素（例えばハロゲン元素）を有していないので、発電機能の低下を抑制することもできる。
【００２１】
なお、本発明は上記実施の形態に限られたものではなく、趣旨を逸脱しない範囲で適宜変更することが可能である。例えば、N-メチルモルホリン N-オキシドは、水溶液の状態で第１電解質層、第２電解質層及び補強層に含まれていてもよい。
【符号の説明】
【００２２】
１  燃料電池用電解質膜
１１  第１電解質層
１２  補強層
１３  第２電解質層
【図１】
2020113370.tif 000004
(57)【要約】【課題】ホテル客への弁当提供において、観光情報チラシなどをいれる封筒を活用すること。【解決手段】弁当を封筒に入れて客へ提供する。【選択図】図１
2020147364.tif 000002
【特許請求の範囲】
【請求項１】
弁当を封筒に入れることを特徴とする弁当販売方法。
【請求項２】
封筒に入れたことを特徴とする弁当。
【請求項３】
封筒にチラシやパンフレットなどと弁当をいれたことを特徴とする、封筒入り弁当。
【請求項４】
弁当を入れるための封筒を特徴とする封筒体。
【発明の詳細な説明】
【技術分野】
【０００１】本発明は、弁当の包装に関する。
詳しくは、ホテル等で弁当を観光チラシなどの印刷物と一体化して顧客に提供することに関する。
【背景技術】
【０００２】ホテルで会議やイベントで弁当を出すことが増えた。
食堂設備をもうけないホテルも増えた。
周辺の飲食店から取り寄せて提供することが多くなった。
ホテルへの出前弁当の需要が増えてくる。
【先行技術文献】
【特許文献】
【０００３】
【特許文献１】特開２００２−３４５５２８
【発明の概要】
【発明が解決しようとする課題】
【０００４】ホテル宿泊客への弁当を、観光チラシなどの印刷物などと一体化して提供すること。
【課題を解決するための手段】
【０００５】弁当を封筒に入れて客へ提供する。印刷物も封筒で同時に提供する。【０００６】封筒に観光地図など印刷してもよい。
または、観光地図や周辺飲食店案内チラシと一緒に弁当を封筒にいれてもよい。【０００７】折箱式の弁当が封筒に入れやすいので好ましい。【０００８】プラスチック容器の弁当は紙箱に入れ、封筒に入れやすいようにする。【０００９】図１に示すような、封筒３に弁当１とチラシやパンフレットの印刷物２をいれる。
封３１は、特にしなくともよい。弁当を食べた後は印刷物２をいれる専用のふうとうにできる。
【実施態様】
【００１０】ホテルなどで封筒を用意する。仕入れた弁当と観光パンフレットやホテル販売品チラシを封筒に入れる。
または、弁当販売店で封筒に弁当とパンフレットチラシを同封しホテルへ配達する。
【００１２】封筒の中に観光情報チラシなどをいれる。
弁当と同時に観光や周辺施設などのチラシ情報を同時に提供できる。
弁当を食べた後、弁当容器は捨てて、封筒を観光案内パンフレットいれとして利用できる。
封筒は旅に記念になる。ホテル名前や観光地が印刷されてるので封筒を旅の記念にできる。
【００１３】弁当をいれる封筒は紙製でなくともよい。プラスチックの透明な封筒でよい。
料理を入れた弁当容器の弁当箱を封筒に入れる。
封筒に観光案内や宣伝を印刷してもよい。
この場合、封筒そのものがチラシである。
【発明の効果】
【００１４】ホテルは仕入れた弁当を封筒にチラシとともに入れてオリジナルにできる。
ホテル客へ、弁当販売場尾マージンと広告宣伝料を収益にできる。
封筒の裏に周辺の飲食店などの広告を印刷して収益にもできる。
【００１５】弁当と印刷物資料を同時に配布できる。
封筒中に弁当と、ホテル周辺の案内地図や観光案内のチラシが、一体化されている。
【図面の簡単な説明】
【００１６】
【図１】本発明実施の内容を示した側面図である。
【図２】宣伝用のキャラクターを示した平面図である。
【発明を実施するための形態】
【００１７】封筒の裏に観光地図など印刷してもよい。封筒はＡ４サイズでほぼ対応できる。
【実施例】
【００１８】折り詰め弁当を宣伝チラシ多数とともに、封筒にいれる。
【産業上の利用可能性】
【００１９】ホテルに食堂がなくとも、弁当提供でホテル活用ができる。
イベント、会議、集会、一回忌の法事やその他会合に利用。
弁当提供で資料と弁当を同時に配布できる。
弁当を食べた後は、会議し資料を封に入れて持ち帰ることができる。
【符号の説明】
【００２０】１は、箱型弁当などの弁当体。
２は、観光情報チラシなど印刷物体。
３は、封筒体。
３１は、封筒体の封する部分。
４は、当発明物のキャラクター。
【図１】
2020147364.tif 000003
【図２】
2020147364.tif 000004
(57)【要約】【課題】  マスクに美容効果を持たせ、他人に気づかれずにこっそりと頬のたるみを解消するマスクを提供する。【解決手段】  不織布のような通気性に優れた素材のマスク（１）の内側に柔らかい薄手のシリコーンシート（２）を頬骨あたりから頬の広い範囲を顔の両輪郭に沿いながら顎まで、鼻と口元を避けて設け、耳ゴムひも（３）を１本、もしくは、複数本、頬を上に引っ張り上げられるように少々強めに両脇につけた頬のたるみを解消することを特徴とする。【選択図】図１
2020147886.tif 000002
【特許請求の範囲】
【請求項１】
不織布のような通気性に優れた素材のマスク（１）の内側に柔らかい薄手のシリコーンシート（２）を頬骨あたりから頬の広い範囲を顔の両輪郭に沿いながら顎まで、鼻と口元を避けて設け、耳ゴムひも（３）を１本、もしくは、複数本、頬を上に引っ張り上げられるように少々強めに両脇につけた頬のたるみを解消するマスク。
【発明の詳細な説明】
【技術分野】
【０００１】  本発明は、頬のたるみ、ゆるみを解消できるマスクに関するものである。
【背景技術】
【０００２】  従来、マスクは花粉症の軽減、風邪をひいた場合の咳の防止、ＰＭ２．５などのほこりの吸い込み防止、のどの乾燥防止などの目的で使用されていた。
従来のマスクは、頬や顎を引き上げるのが目的ではなく、美容効果は全く期待できなかった。
また、美容専用目的のマスクは、幅広ゴムベルトで顎から頭部にかけてさるぐつわのようにがっちり固定し小顔にするものであった。
また、呼吸するための目、口、鼻部分をくりぬいたシートで顔面をすっぽり覆い顔のたるみをひきしめるものがあった。
これらは、家の中だけで使用するもので見た目の悪さから外での使用には適さなかった。
【先行技術文献】
【特許文献】
【０００３】
【特許文献１】特開２０１８−０６１６７０号公報
【特許文献２】特開２０１６−０９３３２４号公報
【発明の概要】
【発明が解決しようとする課題】
【０００４】  そのために、次のような問題点があった。
普通のマスクだと、鼻部分にワイヤーが入っているものの全体的にゆとりがあり肌との密着感や粘着感はなかった。
耳ゴムひもも耳が痛くならないように柔らかくゆったりとして頬や顎を引っぱり上げるだけの効果はなかった。
女性用の小さめタイプのマスクは、マスク自体の面積が小さくなるので、さらに密着度が少なくなり引き上げ効果はなかった。
マスクは、肌への負担を少なくするため肌触りを良くし、また化粧崩れを防ぐようにサラサラとした素材のものを使用しているので、肌を粘着させて引っ張り上げることはできなかった。
美容専用目的のマスクは、さるぐつわのような形やプロレスラーの覆面のような形なので、とても人前で装着できるものではなかった。
本発明は、これらの問題点を解決するためになされたものである。
【課題を解決するための手段】
【０００５】  不織布のような通気性に優れた素材のマスク（１）の内側に柔らかい薄手のシリコーンシート（２）を頬骨あたりから頬の広い範囲を顔の両輪郭に沿いながら顎まで、鼻と口元を避けて設け、耳ゴムひも（３）を１本、もしくは複数本、頬を上に引っ張り上げられるように少々強めに両脇につけた頬のたるみを解消するマスク。
【発明の効果】
【０００６】（イ）マスクを付けていても今まで美容効果は得られなかったが、本発明品を使えば、日常生活の中で、人に気づかれずに、こっそり頬や顎のたるみを引き上げる効果がある。
（ロ）パソコンなど下を向いての作業中や通勤電車の中、授業中など時間や場所に関わらず人目を気にせず使える。
（ハ）ほうれい線も薄くなり、女性にうれしい若返り効果が期待できる。
（ニ）自然に口角が上がり、顔の表情も明るくなりまわりに良い印象を与えられる。
（ホ）シリコーンシートが肌に接することで、肌がしっとりつやつやになる。
（ヘ）通気性もあり、においもこもらない。
【図面の簡単な説明】
【０００７】
【図１】  本発明の裏面図である。
【図２】  本発明を正面から見た斜視図である。
【図３】  本発明の使用状態を示した斜視図である。
【発明を実施するための形態】
【０００８】  発明を実施するための形態について説明する。
マスク（１）の裏面側にシリコーンシート（２）を貼り付け、耳にかける耳ゴムひも（３）を設ける。
本発明は以上のような構成である。
本発明を使用するときは、マスク（１）を装着し、耳ゴムひも（３）を耳にかけて頬を上に引っぱり上げるようにして、内側のシリコーンシート（２）に粘着させて頬全体を持ち上がるような状態にする。
頬から顎にかけてシリコーンシート（２）がほどこしてあるので、自然に無理なく頬が引き上げられる
口元と鼻はスムーズに呼吸ができ、会話も普通のマスク同様にできる。
この結果、他人に知られることなくこっそりと頬の引き上げやほうれい線予防の美容効果が得られる。
【符号の説明】
【０００９】    １  マスク
２  シリコーンシート
３  耳ゴムひも
【図１】
2020147886.tif 000003
【図２】
2020147886.tif 000004
【図３】
2020147886.tif 000005
(57)【要約】      （修正有）【課題】自動車所有者は、いつでも自動車を安全に・快適に使用することができる役務と情報処理装置を提供する。【解決手段】役務において、自動車所有車は、スマートフォンやパソコン機器を介して所有自動車の利用しない期間や気になる点の情報−Ａをメンテナンスデータベース登録する。自動車整備会社オペレーターは、情報−Ａを確認し、メンテナンス作業者にメンテナンス作業を依頼する。メンテナンス作業者は、自動車所有車の所有する自動車にメンテナンス作業を実施し、実施した内容を登録する。メンテナンスデータベースは、メンテナンス実施情報）が登録されたら、自動車所有車にメンテナンス情報を送信する。【選択図】図１
2020205016.tif 000002
【特許請求の範囲】
【請求項１】
自動車所有者が、自動車を利用しない期間にメンテナンスを提供する役務。
【請求項２】
自動車所有者が、自動車の不具合やメンテナンス希望情報を、スマートフォンから登録する装置。
【請求項３】
請求項２で登録された情報を確認し、メンテナンス実施情報を登録し、自動車所有者に送信できる装置。
【請求項４】
請求項３で登録した情報を分析することで、自動車の故障や必要メンテナンスの傾向を出力できる装置。
【請求項５】
請求項４で出力される情報をもとに、次のメンテナンス予測を自動計算し出力できる装置。
【発明の詳細な説明】
【技術分野】
【０００１】本発明は自動車の効率的なメンテナンス（点検や整備）役務の提供と、自動車や自動車利用者毎に異なるメンテナンス情報の解析と活用方法。
【背景技術】
【０００２】高額所得者や資産家と呼ばれる富裕層の多くは別荘を所有していることが多く、別荘には自動車も完備しており、月に数回、年に数回というサイクルで所有別荘を訪れる。一方で自動車は工業製品であり、定期的なメンテナンスを必要とするが、所有者（富裕層）が、自己の別荘にある自動車をメンテナンスするのは、時間的や地理的にも困難である。
【発明の概要】
【発明が解決しようとする課題】
【０００３】富裕層が別荘等にある自動車を自己でメンテナンスするのが困難である理由としては、実際にメンテナンスを実施する自動車整備会社を探し、その会社まで車輌を運ばなければならないこと。またメンテンナスする上での希望を伝えなければならないということであるが、本発明はこの２つの課題を解決する。
【課題を解決するための手段】
【０００４】上記の課題を解決するために、第一発明は、自動車所有者が自動車を使用しない期間（例えば自動車所有者が週末に自動車を使用するのであれば、平日）に、メンテナンスを代行する役務である。第二発明は、自動車所有者が自動車を使用しない期間を登録するデータベースシステムの構築である。第三発明は、自動車所有者が自ら所有自動車の気になる点やメンテナンス希望情報をスマートフォン等から簡易に登録できるＷｅｂアプリケーションシステム構築である。第四発明は、自動車整備会社が依頼された自動車に対し実施したメンテナンス情報を登録し、その内容を所有者に送信できるデータベースシステムである。第五発明は、第三発明・第四発明で登録した情報を分析し、自動車や所有者のメンテナンス傾向を予測し、表記するデータベースシステムである。
【発明の効果】
【０００５】第一発明、第二発明、第三発明、第四発明によって、自動車所有者は、いつでも自動車を安全に・快適に使用することができる。また第五発明によって自動車所有者は、所有する自動車のトラブルを未然に回避することが可能になっていく。
【図面の簡単な説明】
【０００６】
【図１】第一、第二、第三、第四発明の流れと全体像を説明するものである
【図２】第五発明を説明するものでる。
【発明を実施するための形態】
【０００７】以下、本発明の実施形態を図１〜２を用いて説明する。
【実施例１】
【０００８】図中１は本発明を利用した役務の流れを説明したものである。図１の（ア）自動車所有車は、スマートフォンやパソコン機器を介して所有自動車の利用しない期間や気になる点（情報−Ａ）をメンテナンスデータベース登録する（図−１▲１▼）。図中１の（イ）自動車整備会社オペレーターは情報−Ａを確認し（図−１▲２▼）、図中１の（ウ）メンテナンス作業者にメンテナンス作業を依頼する（図−１▲３▼）。
図中１の（ウ）メンテナンス作業者は、図中１（ア）の所有する自動車にメンテナンス作業を実施し（図−１▲４▼）、実施した内容を登録する（図−１▲５▼）。
メンテナンスデータベースは、メンテナンス実施情報（図−１▲５▼）が登録されたら、図１（ア）自動車所有車にメンテナンス情報を送信する。
【実施例２】
【０００９】図２は、第五発明の図中（１０１イ）メンテナス分析プログラムを説明するものである。図２（１０１ア）メンテナンスデータベースに格納されている過去に実施されたメンテナンス情報を、図２（１０１イ）メンテナンス分析プラグラムが抽出し分析を行う（図２▲１▼）。分析は消耗品部品の交換や整備頻度を過去実施情報から予測するものである。図２（イ）自動車整備会社オペレーターは、その情報（図２▲１▼）を確認し（図２▲２▼）、図▲２▼（ウ）メンテナンス作業者にメンテナス作業の実施を依頼する（図２▲３▼）
【符号の説明】
【００１０】ア        自動車所有車
イ        自動車整備会社オペレーター
ウ        メンテナス作業者
１０１ア  メンテナスデータベース
１０１イ  メンテナス分析プログラム
【図１】
2020205016.tif 000003
【図２】
2020205016.tif 000004
(57)【要約】【課題】  高音質で音楽を楽しむために４系統出力アンプを提供する【解決手段】４つのボリュームを備えることを特徴とする【選択図】図１
2020205640.tif 000002
【特許請求の範囲】
【請求項１】
４つのボリュームを備えた４系統出力アンプ
【発明の詳細な説明】
【技術分野】
【０００１】この発明は、４系統出力アンプに関するものである
【背景技術】
【０００２】従来、アンプのボリュームは１つだけだった
【先行技術文献】
【０００３】
【特許文献１】
【非特許文献１】
【発明の概要】
【発明が解決しようとする課題】
【０００４】これは次のような欠点があった
（イ）ボリュームが１つだと表現するには限りがあった
本発明は、以上のような欠点をなくすためになされたものである
【課題を解決するための手段】
【０００５】４系統出力アンプのボリュームを４つに分けなければならない
本発明は、以上の構成よりなる４系統出力アンプである
【発明の効果】
【０００６】（イ）高音質で音楽を楽しめる
【図面の簡単な説明】
【０００７】
【図１】  本発明の見取り図である
【発明を実施するための形態】
【０００８】以下、本発明を実施するための最良の形態について説明する
（１）４系統出力アンプに４つの（２）ボリュームを備える
本発明は、以上のような構造である
【符号の説明】
【０００９】１  ４系統出力アンプ
２  ボリューム
【図１】
2020205640.tif 000003